(57)【要約】【課題】ピンヘッダのピンと筐体の脚部との相対位置関係がずれるのを抑制することが可能なピンヘッダ組立体を提供する。【解決手段】このピンヘッダ組立体４０は、複数のピン２１、および、複数のピン２１を固定して保持するピン保持部２２を含むピンヘッダ２０と、脚部３２を含む筐体３０と、を備える。ピン保持部２２には、ピン２１と同方向に延びる貫通穴２２ａが形成されており、筐体３０の脚部３２は、ピン保持部２２の貫通穴２２ａに圧入されている。【選択図】図３
2014078662.tif 000002
【特許請求の範囲】
【請求項１】
回路基板に挿入される複数のピン、および、前記複数のピンを固定して保持するピン保持部を含むピンヘッダと、
前記回路基板に挿入される脚部を含む筐体と、
を備え、
前記ピン保持部には、前記ピンと同方向に延びる貫通穴が形成されており、
前記筐体の脚部は、前記ピン保持部の貫通穴に圧入されていることを特徴とするピンヘッダ組立体。
【請求項２】
前記筐体は、前記ピン保持部の少なくとも一部を囲う壁部を含み、
前記脚部は、前記壁部から内側に折り曲げられる折り曲げ部と、前記折り曲げ部から前記貫通穴の延びる方向に折り曲げられるとともに前記ピン保持部の貫通穴に圧入される圧入部とを有することを特徴とする請求項１に記載のピンヘッダ組立体。
【請求項３】
前記筐体は、前記ピン保持部の少なくとも一部を囲う壁部を含み、
前記脚部は前記壁部の一部により形成されており、
前記ピン保持部は前記筐体の内側と外側とに配置されていることを特徴とする請求項１または２に記載のピンヘッダ組立体。
【請求項４】
前記脚部は、前記貫通穴に圧入される幅狭部と、前記幅狭部よりも大きい幅に形成される幅広部とを有し、
前記幅広部は、前記ピンヘッダに当接しているとともに、前記ピンヘッダの前記幅広部側への移動を規制することを特徴とする請求項１〜３のいずれか１項に記載のピンヘッダ組立体。
【請求項５】
請求項１〜４のいずれか１項に記載のピンヘッダ組立体を備える電子部品ユニットの製造方法であって、
前記筐体の脚部を前記ピン保持部の前記ピンと同方向に延びる貫通穴に圧入することにより、前記ピンヘッダ組立体を形成する工程と、
前記ピンヘッダの複数のピン、および、前記筐体の脚部を前記回路基板に挿入する工程と、
を備えることを特徴とする電子部品ユニットの製造方法。
【発明の詳細な説明】
【技術分野】
【０００１】
この発明はピンヘッダ組立体、およびそれを備えた電子部品ユニットの製造方法に関し、特に、複数のピンおよびピン保持部を含むピンヘッダと、筐体とを備えるピンヘッダ組立体、およびピンヘッダ組立体を備えた電子部品ユニットの製造方法に関する。
【背景技術】
【０００２】
従来、複数のピンおよびピン保持部を含むピンヘッダと、筐体と、ピンヘッダおよび筐体が取り付けられる回路基板とを備えた電子部品ユニットが知られている。図１５は、従来の電子部品ユニットの一例を示した斜視図である。図１６は、図１５に示した電子部品ユニットの構造を示した分解斜視図である。図１５および図１６に示すように、従来の電子部品ユニット１０１は、チューナ基板（回路基板）１１０と、チューナ基板１１０に取り付けられたピンヘッダ１２０と、ピンヘッダ１２０をチューナ基板１１０側に押える筐体１３０とを備えている。
【０００３】
チューナ基板１１０には、高周波回路部品（図示せず）が実装されている。ピンヘッダ１２０は、金属からなる複数のピン１２１と、複数のピン１２１を保持する絶縁樹脂からなるピン保持部１２２とを含んでいる。
【０００４】
筐体１３０は板金製である。また、筐体１３０は、前述の図示しない高周波回路部品およびピンヘッダ１２０の周囲を囲う壁部１３１ａ、１３１ｂ、１３１ｃおよび１３１ｄと、ピンヘッダ１２０をチューナ基板１１０側に押える押え部１３２とを含んでいる。
【０００５】
押え部１３２は、壁部１３１ａから内側に折り曲げられており、ピンヘッダ１２０の上方に配置されている。また、壁部１３１ａおよび１３１ｃには、電子部品ユニット１０１が組み込まれる図示しない電子機器の基板に挿入される複数の脚部１３３が形成されている。
【０００６】
電子部品ユニット１０１を組み立てる場合、まず、ピンヘッダ１２０の複数のピン１２１をチューナ基板１１０に挿入する。そして、筐体１３０を、ピンヘッダ１２０の上方からチューナ基板１１０に覆い被せる。その後、リフロー加熱することによって、図１７に示すように、半田１５０により、ピンヘッダ１２０および筐体１３０をチューナ基板１１０に半田付けする。このようにして、電子部品ユニット１０１が組み立てられる。
【０００７】
なお、ピンを回路基板に取り付ける方法は、例えば特許文献１に開示されている。
【先行技術文献】
【特許文献】
【０００８】
【特許文献１】特開２００１−２７４３１１号公報
【発明の概要】
【発明が解決しようとする課題】
【０００９】
しかしながら、従来の電子部品ユニット１０１では、半田付けを行う前の状態で、図１８に示すように、ピンヘッダ１２０がチューナ基板１１０に対してがたつく場合がある。また、図１９に示すように、チューナ基板１１０が筐体１３０に対してがたつく場合がある。これらの場合、半田付けを行うと、ピンヘッダ１２０のピン１２１と筐体１３０の脚部１３３とが所望の相対位置関係を満たさずに固定されるという問題点がある。この場合、電子部品ユニット１０１のピン１２１および脚部１３３を電子機器の基板（図示せず）に取り付けるのが困難となる。
【００１０】
この発明は、上記のような課題を解決するためになされたものであり、この発明の目的は、ピンヘッダのピンと筐体の脚部との相対位置関係がずれるのを抑制することが可能なピンヘッダ組立体、およびそれを備えた電子部品ユニットの製造方法を提供することである。
【課題を解決するための手段】
【００１１】
上記目的を達成するために、この発明のピンヘッダ組立体は、回路基板に挿入される複数のピン、および、複数のピンを固定して保持するピン保持部を含むピンヘッダと、回路基板に挿入される脚部を含む筐体と、を備え、ピン保持部には、ピンと同方向に延びる貫通穴が形成されており、筐体の脚部は、ピン保持部の貫通穴に圧入されている。
【００１２】
上記ピンヘッダ組立体において、好ましくは、筐体は、ピン保持部の少なくとも一部を囲う壁部を含み、脚部は、壁部から内側に折り曲げられる折り曲げ部と、折り曲げ部から貫通穴の延びる方向に折り曲げられるとともにピン保持部の貫通穴に圧入される圧入部とを有する。
【００１３】
上記脚部は折り曲げ部と圧入部とを有するピンヘッダ組立体において、好ましくは、折り曲げ部は、ピンヘッダに当接しているとともに、ピンヘッダの折り曲げ部側への移動を規制する。
【００１４】
上記ピンヘッダ組立体において、好ましくは、筐体は、ピン保持部の少なくとも一部を囲う壁部を含み、脚部は壁部の一部により形成されており、ピンヘッダは筐体の内側と外側とに配置されている。
【００１５】
上記ピンヘッダ組立体において、好ましくは、脚部は、貫通穴に圧入される幅狭部と、幅狭部よりも大きい幅に形成される幅広部とを有し、幅広部は、ピンヘッダに当接しているとともに、ピンヘッダの幅広部側への移動を規制する。
【００１６】
上記ピンヘッダ組立体において、好ましくは、筐体には、グランドに接地される接地用端子部が脚部とは別に設けられている。
【００１７】
この場合、好ましくは、脚部はグランドには接地されない。
【００１８】
この発明の電子部品ユニットは、上記の構成のピンヘッダ組立体を備える。
【００１９】
この発明の電子機器は、上記の構成の電子部品ユニットを備える。
【００２０】
この発明の電子部品ユニットの製造方法は、上記の構成のピンヘッダ組立体を備える電子部品ユニットの製造方法であって、筐体の脚部をピン保持部のピンと同方向に延びる貫通穴に圧入することにより、ピンヘッダ組立体を形成する工程と、ピンヘッダの複数のピン、および、筐体の脚部を回路基板に挿入する工程と、を備える。
【発明の効果】
【００２１】
本発明によれば、筐体の脚部がピン保持部の貫通穴に圧入されるので、筐体とピンヘッダとからなるピンヘッダ組立体を１つの部品として取り扱うことが可能となる。また、筐体の脚部がピン保持部の貫通穴に圧入されるので、複数のピンと筐体の脚部とがピン保持部に固定されることになる。このため、複数のピンが筐体の脚部に対してがたつくことがないので、複数のピンと筐体の脚部との相対位置関係がずれるのを抑制することができる。これにより、複数のピンと筐体の脚部とを容易に回路基板に挿入することができる。すなわち、ピンヘッダ組立体を容易に回路基板に取り付けることができ、電子部品ユニットを容易に組み立てることができる。
【００２２】
また、電子部品ユニットを電子機器の基板に取り付ける際においても、複数のピンと筐体の脚部とは適切な相対位置関係に保持されているので、複数のピンと筐体の脚部とを容易に電子機器の基板に挿入することができる。すなわち、電子部品ユニットを容易に電子機器の基板に取り付けることができる。
【図面の簡単な説明】
【００２３】
【図１】本発明の第１実施形態の電子部品ユニットの構造を示した斜視図である。
【図２】本発明の第１実施形態の電子部品ユニットの構造を示した分解斜視図である。
【図３】本発明の第１実施形態のピンヘッダ組立体の構造を示した分解斜視図である。
【図４】本発明の第１実施形態のピンヘッダ組立体の構造を示した斜視図である。
【図５】本発明の第１実施形態の電子部品ユニットの構造を示した断面図である。
【図６】本発明の第１実施形態の電子部品ユニットを電子機器のメイン基板に取り付ける状態を示した斜視図である。
【図７】本発明の第２実施形態の筐体の構造を示した斜視図である。
【図８】本発明の第２実施形態の筐体の構造を示した断面図である。
【図９】本発明の第２実施形態の電子部品ユニットの構造を示した断面図である。
【図１０】本発明の第２実施形態の電子部品ユニットの効果を説明するための断面図である。
【図１１】本発明の第２実施形態の電子部品ユニットの効果を説明するための断面図である。
【図１２】本発明の第３実施形態の筐体の構造を示した斜視図である。
【図１３】本発明の第３実施形態のピンヘッダ組立体の構造を示した斜視図である。
【図１４】本発明の変形例の筐体の構造を示した斜視図である。
【図１５】従来の電子部品ユニットの一例を示した斜視図である。
【図１６】図１５に示した電子部品ユニットの構造を示した分解斜視図である。
【図１７】図１５に示した電子部品ユニットの構造を示した断面図である。
【図１８】図１５に示した電子部品ユニットのピンヘッダがチューナ基板に対してがたついた状態を示した断面図である。
【図１９】図１５に示した電子部品ユニットのチューナ基板が筐体に対してがたついた状態を示した断面図である。
【発明を実施するための形態】
【００２４】
以下、本発明の実施形態について図面を参照して説明する。
【００２５】
＜第１実施形態＞
図１〜図５を参照して、本発明の第１実施形態による電子部品ユニット１の構造について説明する。電子部品ユニット１は、テレビジョン受像機などの電子機器の基板に実装されるものである。電子部品ユニット１は図１および図２に示すように、チューナ基板（回路基板）１０と、ピンヘッダ２０および筐体３０からなるピンヘッダ組立体４０とを備えている。
【００２６】
チューナ基板１０には、高周波回路部品（図示せず）が実装されている。この高周波回路部品は、デジタルテレビジョン放送等の高周波のデジタル変調信号を受信するとともに、高周波のデジタル変調信号を低周波のデジタル変調信号に変換し出力する機能を有する。
【００２７】
また、チューナ基板１０はプリント配線基板により形成されており、図示しない信号配線、電力供給配線やＧＮＤ（接地）配線などが形成されている。また、チューナ基板１０には、ピンヘッダ２０の後述するピン２１が挿入される複数のピン挿入穴１０ａと、筐体３０の後述する脚部３２が挿入される複数の脚挿入穴１０ｂとが形成されている。
【００２８】
ピンヘッダ組立体４０を構成するピンヘッダ２０は図３に示すように、金属からなる複数のピン２１と、複数のピン２１を固定して保持する絶縁樹脂からなるピン保持部２２とを含んでいる。複数のピン２１は所定の方向に沿って１列に配列されている。複数のピン２１はピン保持部２２に圧入されている。なお、複数のピン２１はピン保持部２２にインサート成型されていてもよい。ピン２１はチューナ基板１０の配線を介して前述の高周波回路部品（図示せず）に電気的に接続される。また、ピン２１は電子機器の基板にも電気的に接続される。
【００２９】
ピン保持部２２は複数のピン２１の配列方向に沿って細長形状に形成されている。また、ピン保持部２２には、筐体３０の後述する脚部３２が挿入される複数の貫通穴２２ａが形成されている。この貫通穴２２ａは、ピン２１と同方向に延びるように形成されている。
【００３０】
ピンヘッダ組立体４０を構成する筐体３０は板金製である。また、筐体３０は図３および図４に示すように、前述の高周波回路部品（図示せず）およびピンヘッダ２０の周囲を囲う壁部３１ａ、３１ｂ、３１ｃおよび３１ｄと、チューナ基板１０に挿入される複数の脚部３２とを含んでいる。
【００３１】
脚部３２は、壁部３１ａから内側に折り曲げられた折り曲げ部３２ａと、折り曲げ部３２ａから貫通穴２２ａの延びる方向に折り曲げられるとともにピンヘッダ２０の貫通穴２２ａに圧入される圧入部３２ｂとを有する。
【００３２】
折り曲げ部３２ａは図４および図５に示すように、ピンヘッダ２０に当接しているとともに、ピンヘッダ２０の折り曲げ部３２ａ側（上側）への移動を規制する。
【００３３】
圧入部３２ｂはピンヘッダ２０の貫通穴２２ａと平面視で略同じサイズに形成されている。これにより、圧入部３２ａをピンヘッダ２０の貫通穴２２ａに挿入することにより筐体３０がピンヘッダ２０に固定（圧入）され、筐体３０とピンヘッダ２０とからなるピンヘッダ組立体４０を１つの部品として取り扱うことが可能となる。また、圧入部３２ｂはチューナ基板１０のＧＮＤ（接地）配線に電気的に接続されるとともに、電子機器の基板のＧＮＤ（接地）配線にも電気的に接続される。
【００３４】
また図５に示すように、壁部３１ｃには、電子機器の基板の挿入穴（図示せず）に挿入される１個以上の挿入部３３が形成されている。挿入部３３を設けることにより、電子部品ユニット１を電子機器の基板に、より強固に固定することができる。なお、壁部３１ｃに挿入部３３が形成されていなくてもよい。
【００３５】
次に、電子部品ユニット１の組立方法について説明する。
【００３６】
まず、図３に示すように、筐体３０の脚部３２をピン保持部２２の貫通穴２２ａに圧入する。このとき、脚部３２の折り曲げ部３２ａがピン保持部２２に当接するまで、脚部３２をピン保持部２２の貫通穴２２ａに挿入する。これにより、図４に示すように、筐体３０がピンヘッダ２０に固定され、ピンヘッダ組立体４０が組み立てられる。
【００３７】
そして、図２に示すように、ピンヘッダ組立体４０を高周波回路部品（図示せず）が実装されたチューナ基板１０に取り付ける。具体的には、ピン保持部２２がチューナ基板１０に当接するまで、ピンヘッダ２０の複数のピン２１、および、筐体３０の脚部３２をチューナ基板１０のピン挿入穴１０ａおよび脚挿入穴１０ｂに挿入する。
【００３８】
その後、リフロー加熱することによって、図５に示すように、半田５０により、ピン２１および脚部３２のチューナ基板１０から下側に突出した部分をチューナ基板１０に半田付けする。これにより、ピンヘッダ組立体４０（ピンヘッダ２０および筐体３０）がチューナ基板１０に固定され、電子部品ユニット１が組み立てられる。
【００３９】
この電子部品ユニット１をテレビジョン受像機などの電子機器のメイン基板５０に実装する場合、図６に示すように、ピンヘッダ２０のピン２１をメイン基板５０のピン挿入穴５０ａに挿入するのと同時に、脚部３２の圧入部３２ｂをメイン基板５０の脚挿入穴５０ｂに挿入する。このとき、挿入部３３も同時にメイン基板５０の挿入穴（図示せず）に挿入する。そして、ピンヘッダ２０のピン２１および脚部３２をメイン基板５０に半田付けすることにより、電子部品ユニット１がメイン基板５０に固定される。このとき、ピンヘッダ２０のピン２１がメイン基板５０の信号配線や電力供給配線に電気的に接続されるとともに、脚部３２がメイン基板５０のＧＮＤ（接地）配線に電気的に接続される。
【００４０】
本実施形態では、上記のように、筐体３０の脚部３２がピン保持部２２の貫通穴２２ａに圧入されるので、筐体３０とピンヘッダ２０とからなるピンヘッダ組立体４０を１つの部品として取り扱うことが可能となる。また、筐体３０の脚部３２がピン保持部２２の貫通穴２２ａに圧入されるので、複数のピン２１と筐体３０の脚部３２とがピン保持部２２に固定されることになる。このため、複数のピン２１が筐体３０の脚部３２に対してがたつくことがないので、複数のピン２１と筐体３０の脚部３２との相対位置関係がずれるのを抑制することができる。これにより、複数のピン２１と筐体３０の脚部３２とを容易にチューナ基板１０に挿入することができる。すなわち、ピンヘッダ組立体４０を容易にチューナ基板１０に取り付けることができ、電子部品ユニット１を容易に組み立てることができる。
【００４１】
また、電子部品ユニット１を電子機器のメイン基板５０に取り付ける際においても、複数のピン２１と筐体３０の脚部３２とは適切な相対位置関係に保持されているので、複数のピン２１と筐体３０の脚部３２とを容易に電子機器のメイン基板５０に挿入することができる。すなわち、電子部品ユニット１を容易に電子機器のメイン基板５０に取り付けることができる。
【００４２】
また、上記のように、脚部３２は、壁部３１ａから内側に折り曲げられる折り曲げ部３２ａと、折り曲げ部３２ａから貫通穴２２ａの延びる方向（下方向）に折り曲げられる圧入部３２ｂとを有する。これにより、ピン保持部２２を壁部３１ａ〜３１ｄで囲いながら、筐体３０の脚部３２をピン保持部２２の貫通穴２２ａに挿入（圧入）することができる。
【００４３】
また、上記のように、折り曲げ部３２ａは、ピンヘッダ２０に当接しているとともに、ピンヘッダ２０の折り曲げ部３２ａ側への移動を規制する。これにより、ピンヘッダ２０が折り曲げ部３２ａ側（上側）へ移動するのを規制することができるので、複数のピン２１と筐体３０の脚部３２との相対位置関係がずれるのをより抑制することができる。
【００４４】
＜第２実施形態＞
本発明の第２実施形態では図７および図８に示すように、筐体３０の脚部３２の圧入部３２ｂは、貫通穴２２ａに圧入される幅狭部３２ｃと、幅狭部３２ｃよりも大きい幅に形成される幅広部３２ｄとを有する。幅狭部３２ｃおよび幅広部３２ｄは、貫通穴２２ａの延びる方向に沿って延びるように形成されている。
【００４５】
幅狭部３２ｃは図９に示すように、半田５０を用いて半田付けされており、チューナ基板１０のＧＮＤ（接地）配線に電気的に接続されている。幅広部３２ｄはピンヘッダ２０に当接しているとともに、ピンヘッダ２０の幅広部３２ｄ側（上側）への移動を規制する。
【００４６】
第２実施形態のその他の構造および組立方法は、上記第１実施形態と同様である。
【００４７】
本実施形態では、上記のように、脚部３２は幅狭部３２ｃと幅広部３２ｄとを有し、幅広部３２ｄは、ピンヘッダ２０に当接しているとともに、ピンヘッダ２０の幅広部３２ｄ側（上側）への移動を規制する。これにより、ピンヘッダ２０が幅広部３２ｄ側へ移動するのを規制することができるので、複数のピン２１と筐体３０の脚部３２との相対位置関係がずれるのをより抑制することができる。
【００４８】
また、上記のように、幅狭部３２ｃおよび幅広部３２ｄは、貫通穴２２ａの延びる方向に沿って延びるように形成されている。これにより、図１０に示すように、幅狭部３２ｃを短くし、幅広部３２ｄを長くすれば、ピン保持部２２の厚みを小さくすることができる。すなわち、樹脂材料の使用量を削減することができる。
【００４９】
また、図１１に示すように、厚み（脚部３２の圧入方向の長さ）の大きい筐体３０を用いる場合（例えば高周波回路部品の厚みが大きく、筐体３０の厚みを大きくする場合）であっても、幅広部３２ｄをその分だけ長くすれば、ピンヘッダ２０を共通化することができる。すなわち、幅広部３２ｄの長さを調整することで、ピンヘッダ２０を共通化することができる。
【００５０】
第２実施形態のその他の効果は、上記第１実施形態と同様である。
【００５１】
＜第３実施形態＞
本発明の第３実施形態では図１２および図１３に示すように、筐体３０の壁部３１ａの一部により脚部３２が形成されている。脚部３２は、壁部３１ａを切り欠くことによって形成されている。そして、脚部３２はピンヘッダ２０の貫通穴２２ａに圧入されている。
【００５２】
本実施形態では、筐体３０はピン保持部２２の一部のみを囲っており、ピン保持部２２は筐体３０の内側と外側とに配置されている。なお、筐体３０はチューナ基板１０に実装された高周波回路部品の周囲を囲っている。
【００５３】
第３実施形態のその他の構造および組立方法は、上記第１実施形態と同様である。
【００５４】
本実施形態では、上記のように、脚部３２は壁部３１ａの一部により形成されている。この場合、脚部３２を形成するために筐体３０を折り曲げる必要がないので、脚部３２を容易に形成することができる。
【００５５】
第３実施形態のその他の効果は、上記第１実施形態と同様である。
【００５６】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５７】
例えば上記実施形態では、電子部品ユニットがテレビジョン受像機などの電子機器に搭載される場合について説明したが、本発明はこれに限らない。電子部品ユニットはテレビジョン受像機以外の電子機器に搭載されてもよい。
【００５８】
また、上記実施形態では、回路基板として、高周波回路部品が実装されたチューナ基板を用いた例について説明したが、本発明はこれに限らず、高周波回路部品以外の回路部品が実装された回路基板を用いてもよい。
【００５９】
また、例えば図１４に示した本発明の変形例の筐体３０のように、電子機器の基板に挿入されてそのグランドに接地される接地用端子部３４を脚部３２とは別に設けてもよい。この接地用端子部３４は、例えば壁部３１ｂおよび３１ｄに設けられてもよい。また、接地用端子部３４を設ける場合、脚部３２は基板のグランドに接地されずに、位置決めのみに利用されてもよい。
【００６０】
また、上記第１実施形態において、折り曲げ部を圧入部よりも大きい幅に形成してもよい。すなわち、折り曲げ部を幅広部とし、圧入部を幅狭部としてもよい。このように構成すれば、折り曲げ部の強度を向上させることができるので、圧入部をピン保持部の貫通穴に圧入する際などの負荷により折り曲げ部が変形するのを抑制することができる。
【００６１】
また、上述した実施形態および変形例の構成を適宜組み合わせて得られる構成についても、本発明の技術的範囲に含まれる。
【００６２】
例えば、上記第３実施形態の脚部に幅狭部と幅広部とを設けてもよい。また、例えば脚部に折り曲げ部と圧入部とを設けながら、ピン保持部を筐体の内側と外側とに配置してもよい。
【符号の説明】
【００６３】
１  電子部品ユニット
１０  チューナ基板（回路基板）
２０  ピンヘッダ
２１  ピン
２２  ピン保持部
２２ａ  貫通穴
３０  筐体
３１ａ〜３１ｄ  壁部
３２  脚部
３２ａ  折り曲げ部
３２ｂ  圧入部
３２ｃ  幅狭部
３２ｄ  幅広部
３４  接地用端子部
４０  ピンヘッダ組立体
【図１】
2014078662.tif 000003
【図２】
2014078662.tif 000004
【図３】
2014078662.tif 000005
【図４】
2014078662.tif 000006
【図５】
2014078662.tif 000007
【図６】
2014078662.tif 000008
【図７】
2014078662.tif 000009
【図８】
2014078662.tif 000010
【図９】
2014078662.tif 000011
【図１０】
2014078662.tif 000012
【図１１】
2014078662.tif 000013
【図１２】
2014078662.tif 000014
【図１３】
2014078662.tif 000015
【図１４】
2014078662.tif 000016
【図１５】
2014078662.tif 000017
【図１６】
2014078662.tif 000018
【図１７】
2014078662.tif 000019
【図１８】
2014078662.tif 000020
【図１９】
2014078662.tif 000021